(57)【要約】【課題】  スクリーン版の版離れを促進し、かつスクリーン版の離版速度の変動を抑制することができ、これにより、所望のパターンを精度よく印刷することができるスクリーン印刷機を提供する。【解決手段】  スクリーン印刷機１０は、被印刷物４を載置する印刷台１２と、印刷台１２の上方に被印刷物と間隔を空けて配置されたスクリーン版１６と、スクリーン版１６上を移動するスキージ２２と、を備えている。スクリーン版１６は、印刷台１２の一側上方に上下方向に移動自在に設けられた一側保持部材２４と、印刷台１２の他側上方に設けられた他側保持部材２７と、に保持される。スキージ２２がスクリーン版１６上を一側から他側に向けて移動するのにしたがって、一側保持部材２４は上方に移動する。【選択図】  図１
2006256121.tif 000002
【特許請求の範囲】
【請求項１】
被印刷物を載置する印刷台と、
印刷台の一側上方に上下方向へ移動自在に設けられた一側保持部材と、
印刷台の他側上方に設けられた他側保持部材と、
一側保持部材および他側保持部材に保持され、印刷台の上方に配置されたスクリーン版と、
スクリーン版上を移動するスキージと、を備え、
スキージがスクリーン版上を一側から他側に向けて移動するのにしたがって、一側保持部材が上方に移動する
ことを特徴とするスクリーン印刷機。
【請求項２】
スキージの側方に設けられ、スキージの一側から他側への移動に同期して一側から他側へ移動する案内部材をさらに備え、
案内部材は一側上方に延びる上方誘導孔を有し、
一側保持部材が案内部材の上方誘導孔と係合する
ことを特徴とする請求項１に記載のスクリーン印刷機。
【請求項３】
スキージの側方に設けられ、スキージの一側から他側への移動に同期して一側から他側へ移動する案内部材をさらに備え、
案内部材は、案内部材の移動方向と平行に延びる平行孔と、平行孔の一側に設けられ一側上方に延びる上方誘導孔と、からなる案内孔を有し、
一側保持部材および他側保持部材が案内部材の案内孔に係合する
ことを特徴とする請求項１に記載のスクリーン印刷機。
【請求項４】
上方誘導孔は曲線状からなる
ことを特徴とする請求項２または３に記載のスクリーン印刷機。
【発明の詳細な説明】
【技術分野】
【０００１】
本発明はスクリーン印刷機に係り、とりわけ、スクリーン版の版離れを促進し、かつスクリーン版の離版速度の変動を抑制することができるスクリーン印刷機に関する。
【背景技術】
【０００２】
従来、スクリーン印刷機は、被印刷物上の所望の場所に塗工液を印刷（転写または配置）することに用いられる。そして、今日において、スクリーン印刷機は、紙面への活字や図形の印刷に限られず、エレクトロニクス分野を始めとする様々な分野で用いられるようになっている。
【０００３】
図９に従来のスクリーン印刷機１０ａの概略を示す。スクリーン印刷機１０ａは、被印刷物４を載置する印刷台１２と、印刷台１２の上方に被印刷物４と間隔を空けて配置されたスクリーン版１６と、スクリーン版１６上を移動するスキージ２２と、を備えている。
【０００４】
スクリーン版１６は、その外縁をスクリーン保持部材１８に張設、すなわち張った状態で保持されている。また、スクリーン版１６には、スクリーン版１６上から被印刷物４上に塗工液（インキまたはインキに相当するペースト状物体）２を通過させるための吐出孔が、所望の印刷パターンに対応して設けられている。
【０００５】
このようなスクリーン印刷機で所望の印刷パターンを被印刷物に印刷する場合、スキージがスクリーン版を押圧してスクリーン版を被印刷物に線状に当接させるとともに、スクリーン版上を移動する。このとき、スクリーン版上であってスキージの移動方向前方に配置された塗工液はスキージの移動およびスクリーン版の被印刷物への当接にともない、スクリーン版の吐出孔に充填されるとともに被印刷物に接触する。そして、スキージが通過すると、スクリーン版は自らの復元力によって被印刷物から離間、すなわち、版離れし、このとき、スクリーン版の吐出孔に充填された塗工液は被印刷物上に配置されたままスクリーン版から分離し、被印刷物上に所望のパターンが印刷（転写）される。
【発明の開示】
【発明が解決しようとする課題】
【０００６】
ところで、スクリーン印刷機に用いられる塗工液は通常ある程度の粘性を有している。この塗工液の粘性により、塗工液を介して被印刷物に接触したスクリーン版が、スキージの通過直後に被印刷物から離れない（版離れしない）ことがある。この場合、スクリーン版の版離れ速度が大きく変動し、塗工液の飛び散りまたはパターンの剥がれ等が生じてしまい、精度よく所望のパターンを印刷することができないという不具合が生じる。
【０００７】
また、図１０（ａ），（ｂ），（ｃ）に示すように、仮にスクリーン版の版離れがスムースに行われたとしても、印刷時におけるスキージ後方でのスクリーン版の版離れ角度θ（スクリーン版と被印刷物とがなす角度）はスキージの移動にともなって徐徐に小さくなっていく（θｓ＞θｃ＞θｅ）。この版離れ角度の変動によって、スクリーン版の版離れ引き上げ力、またこれにともなって版離れ速度が変動し、これにより、被印刷物に印刷されるパターンの厚み（塗工液の転写量）が均一にならないという不具合が生じる。
【０００８】
本発明はこのような点を考慮してなされたものであり、スクリーン版の版離れを促進し、かつスクリーン版の離版速度の変動を抑制することができ、これにより、所望のパターンを精度よく印刷することができるスクリーン印刷機を提供することを目的とする。
【課題を解決するための手段】
【０００９】
本発明は、被印刷物を載置する印刷台と、印刷台の一側上方に上下方向へ移動自在に設けられた一側保持部材と、印刷台の他側上方に設けられた他側保持部材と、一側保持部材および他側保持部材に保持され、印刷台の上方に配置されたスクリーン版と、スクリーン版上を移動するスキージと、を備え、スキージがスクリーン版上を一側から他側に向けて移動するのにしたがって、一側保持部材が上方に移動することを特徴とするスクリーン印刷機である。
【００１０】
本発明は、スキージの側方に設けられ、スキージの一側から他側への移動に同期して一側から他側へ移動する案内部材をさらに備え、案内部材は一側上方に延びる上方誘導孔を有し、一側保持部材が案内部材の上方誘導孔と係合することを特徴とするスクリーン印刷機である。
【００１１】
本発明は、スキージの側方に設けられ、スキージの一側から他側への移動に同期して一側から他側へ移動する案内部材をさらに備え、案内部材は、案内部材の移動方向と平行に延びる平行孔と、平行孔の一側に設けられ一側上方に延びる上方誘導孔と、からなる案内孔を有し、一側保持部材および他側保持部材が案内部材の案内孔に係合することを特徴とするスクリーン印刷機である。
【００１２】
本発明は、上方誘導孔は曲線状からなることを特徴とするスクリーン印刷機である。
【発明の効果】
【００１３】
本発明によれば、スキージが一側から他側へ移動するのにしたがって、スクリーン版の一側を保持する一側保持部材が上方へと移動する。したがって、スクリーン版の版離れを促進し、スクリーン版をスムースかつ確実に被印刷物から離間させることができる。また、印刷中における版離れ角度の変動が緩和されるので、スクリーン版の版離れ速度の変動を抑制することができる。これらにより、所望の印刷パターンを精度良く印刷することができる。
【発明を実施するための最良の形態】
【００１４】
以下、図面を参照して本発明の実施の形態について説明する。
【００１５】
図１乃至図６は本発明によるスクリーン印刷機の一実施の形態を示す図である。
【００１６】
このうち図１はスクリーン印刷機１０を示す斜視図であり、図２はスクリーン印刷機１０を示す側面図であり、図３はスクリーン印刷機１０を示す平面図であり、図４（ａ），（ｂ），（ｃ）は各印刷時（印刷開始時、印刷中間時、印刷終了時）におけるスクリーン印刷機１０の状態を示す図であり、図５および図６はスクリーン印刷機１０の案内部材３０の設計方法を説明する図である。
【００１７】
図１乃至図６に示す本実施の形態のスクリーン印刷機１０において、図９および図１０（ａ），（ｂ），（ｃ）を用いて説明した従来のスクリーン印刷機１０ａと同一部分には同一符号を付すとともに、重複する説明の一部を省略する。
【００１８】
なお、図９は従来のスクリーン印刷機１０ａを示す側面図であり、図１０（ａ），（ｂ），（ｃ）は各印刷時（印刷開始時、印刷中間時、印刷終了時）における従来のスクリーン印刷機１０ａの状態を示す図である。
【００１９】
図１乃至図６に示すように、本実施の形態によるスクリーン印刷機１０は、被印刷物４を水平に載置する印刷台１２と、印刷台１２の一側上方に上下方向へ移動自在に設けられた一側保持部材２４と、印刷台１２の他側上方に設けられた他側保持部材２７と、一側保持部材２４と他側保持部材２７とに保持され、印刷台１２の上方に被印刷物４と間隔を空けて配置されたスクリーン版１６と、スクリーン版１６上を移動するスキージ２２と、を備えている。また、スクリーン印刷機１０は、スキージ２２の両側外方に設けられ、スキージ２２の一側から他側への移動に同期して一側から他側へ移動する一対の案内部材３０，３０をさらに備えている。
【００２０】
なお、本実施の形態において一側とは、印刷時におけるスキージ２２の移動開始側であって、図１乃至図４における紙面の右側をさし、一方、他側とは、印刷時におけるスキージ２２の移動終了側であって、図１乃至図４における紙面の左側をさす。また、図１、図２、および図４においては、紙面おける手前側に配置される案内部材３０を省略している。
【００２１】
一側保持部材２４および他側保持部材２７は、印刷台１２に対し上下方向のみに相対移動自在となるよう固定されている。ただし、後述するように、一側保持部材２４および他側保持部材２７は案内部材３０の案内孔３２と係合することによって上下方向への自由な移動を拘束されている。
【００２２】
スクリーン版１６は、一側保持部材２４と他側保持部材２７との間に張設、すなわち張った状態で保持されている。また、スクリーン版１６には、スクリーン版１６上から被印刷物４上に塗工液（インキまたはインキに相当するペースト状物体）２を通過させるための吐出孔（図示せず）が、所望の印刷パターンに対応して設けられている。
【００２３】
なお、本発明におけるスクリーン版１６とは、古くから広く用いられてきた網目状の紗を有する版だけでなく、昨今エレクトロニクスの分野において用いられているメタルマスクや樹脂マスクを含む概念である。このうち紗を有する版としては、ナイロンやテトロン等の化学繊維、またはステンレス等を網目状に編み込んだ紗と、アルミ、ニッケル、ステンレス鋼、銅、真鍮等からなり、前述した吐出孔が所望パターンに対応して設けられたシートとを積層したもの、あるいは紗の網目のうち吐出口を除く範囲に樹脂が入り込んでいるもの等があげられる。一方、エレクトロニクスの分野、とりわけプリント回路やＩＣの印刷に用いられるメタルマスクとしては、アルミ、ニッケル、ステンレス鋼、銅、真鍮等からなり、前述した吐出孔が所望パターンに対応して設けられたシート等があげられる。また樹脂マスクとしては、樹脂からなり、前述した吐出孔が所望パターンに対応して設けられたシート等があげられる。
【００２４】
図３に示すように、スクリーン版１６は、一側保持部材２４および他側保持部材２７に把持された領域を含むスクリーン版１６の縁部からなり、印刷に用いられない非印刷範囲１６ｂと、非印刷範囲１６ｂに囲まれる範囲であって、被印刷物４に当接させられて印刷に用いられる印刷有効範囲１６ａと、を有している。上述した吐出孔は当然に印刷有効範囲１６ａ内に設けられている。また、本願において印刷時（印刷）とは、スクリーン版１６の印刷有効範囲１６ａが被印刷物４と当接するとき、言い換えると、スキージ２２がスクリーン版１６の印刷有効範囲１６ａ上にありスクリーン版１６に当接してスクリーン版１６を被印刷物４に向けて押圧しているときを意味する。
【００２５】
次にスキージ２２について説明する。
【００２６】
図１乃至図３に示すように、スキージ２２は幅方向（図２における紙面の奥行き方向であって、図３における紙面の上下方向）に沿って延びる略平板状からなっている。スキージ２２はスクリーン版１６の上方に配置され、図示しない駆動手段により一側と他側との間を移動自在となっている。なお、本実施の形態において、この移動は、印刷台１２上に載置された被印刷物４に平行であり、水平方向に沿っている。また、スキージ２２は上下方向にも移動自在となっており、降下してスクリーン版１６に当接し、さらに、スクリーン版１６が被印刷物４へ線状に接触するまでスクリーン版１６を押圧することができるようになっている。
【００２７】
次に案内部材３０について説明する。
【００２８】
案内部材３０は、前述した駆動手段を介してスキージ２２に連結されており、スキージ２２の移動に同期して一側と他側との間を被印刷物４と平行に移動することができるようになっている。なお、案内部材３０とスキージ２２とが互いに対し上下方向へ相対移動自在となっていることが好ましい。
【００２９】
図１および図２に示すように、案内部材３０は、案内部材３０の移動方向と平行に延びる、すなわち水平方向に延びる細長状の平行孔３２ｂと、平行孔３２ｂの一側に連続して設けられ一側上方に向けて延びる細長曲線状の上方誘導孔３２ａと、からなる案内孔３２を有している。なお、ここでいう「孔」とは溝状のくぼんだ部分および突き抜けている空所のいずれも含む、すなわち、溝および貫通穴のいずれも含む概念である。図３に示すように、本実施の形態においては、案内孔３２は貫通穴からなり、一側保持部材２４および他側保持部材２７の各端部分２４ａ，２７ａ（図３以外の図においては省略）が、案内部材３０の案内孔３２に係合するように、さらに詳しくは、案内部材３０の案内孔３２内に配置され案内孔３２に沿って案内部材３０に対し相対移動自在となっている。
【００３０】
なお、図４（ａ）に示すように、印刷開始時において一側保持部材２４の端部分２４ａは案内孔３２の平行孔３２ｂと上方誘導孔３２ａとの交点に配置されるようになっている。この案内孔３２、とりわけ上方誘導孔３２ａの設計方法については後に詳述する。
【００３１】
次にこのような構成からなる本実施の形態の作用について説明する。
【００３２】
本実施の形態によるスクリーン印刷機１０の場合も、従来のスクリーン印刷機１０ａと同様にして被印刷物４にパターンを印刷する。すなわち、スキージ２２がスクリーン版１６を押圧してスクリーン版１６を被印刷物４に線状に当接させるとともに、スクリーン版１６上を移動する。そして、スクリーン版１６上であってスキージ２２の移動方向前方に配置された塗工液２はスキージ２２の移動およびスクリーン版１６の被印刷物４への当接にともない、スクリーン版１６の吐出孔に充填されるとともに被印刷物４に接触する。そして、スキージ２２が通過すると、スクリーン版１６は自らの復元力によって被印刷物４から離間、すなわち、版離れし、スクリーン版１６の吐出孔に充填された塗工液２は被印刷物４上に配置されたままスクリーン版１６から分離し、被印刷物４上にパターンが印刷（転写）される。
【００３３】
このとき、従来のスクリーン印刷機１０ａにおいては、図１０（ａ），（ｂ），（ｃ）に示すように、スクリーン版１６を一側（印刷開始側）で保持する一側保持部材２４は被印刷物４から一定間隔を空けた上方に固定されていることから、印刷が進みスキージ２２が印刷開始側のスクリーン版１６の保持位置から遠ざかるにつれて、スキージ後方におけるスクリーン版１６の版離れ角度θ（図９）はしだいに小さくなっていく。
【００３４】
一方、図２に示すように、本実施の形態によれば、一側保持部材２４および他側保持部材２７の各端部分２４ａ，２７ａは案内部材３０の案内孔３２内に配置されており、案内部材３０はスキージ２２の移動に同期して移動する。この間、図４（ａ），（ｂ），（ｃ）に示すように、一側保持部材２４は案内孔３２のうち他側から一側へ向けて上方に延び上がる上方誘導孔内３２ａにある。そして、上述したように一側保持部材２４の水平方向に沿った位置Ｐが固定されていることから、一側保持部材２４は、移動する案内部材３０の上方誘導孔３２ａと一側保持部材２４の水平方向位置Ｐとの交点に配置されることになる。
【００３５】
すなわち、スキージ２２がスクリーン版１６上を一側から他側へ向けて移動するのにしたがって、一側保持部材２４が上方に移動する（図４（ａ），（ｂ），（ｃ））。このように印刷が進むのにつれて一側保持部材２４が上方に徐徐に移動していくことから、スクリーン版１６のスムースな版離れを促進することができるとともに、印刷中における版離れ角度θの変動を抑制することができる。このことにともなって版離れ引き上げ力および版離れ速度（離版速度とも呼ぶ）の変動が抑制され、塗工液２の飛び散りまたはパターンの剥がれ等を生じさせることなく、所望の塗工液の転写量により所望のパターンを均一な厚みで精度よく印刷することができる。
【００３６】
またさらには、各印刷時における一側保持部材２４の上下方向に沿った位置は、案内部材３０の案内孔３２の形状によって決定されるので、案内孔３２の形状を適正に設計することにより、版離れ角度θを印刷中の間に渡って一定にすることも可能である。この場合、版離れ引き上げ力および版離れ速度が印刷の間に渡って略一定となり、さらに精度良く印刷することができる。
【００３７】
一方、このような一側保持部材２４に対して他側保持部材２７の端部分２７ａは、案内孔３２のうち他側に設けられた平行孔３２ｂ内に配置されている。この平行孔３２ｂは案内部材３０の移動方向と平行、すなわち、被印刷物４と平行になっている。したがって、印刷中、他側保持部材２７は被印刷物４から一定間隔を空けた位置にあり、上下方向に変動することはない。
【００３８】
このようにして印刷が終了すると、スキージ２２が上方に移動し、スクリーン版１６が被印刷物４から完全に離間する。その後、スキージ２２が他側から一側へ移動するとともに、案内部材３０もスキージ２２の移動に同期して他側から一側に移動する。この間、一側保持部材２４は、案内部材３０の移動にともなって降下し、図４（ｃ）に示す位置から図４（ａ）に示す位置に戻る。そして、印刷された被印刷物４が印刷台１２から取り除かれ、その後、新しい被印刷物４が印刷台１２に設置され、この新たな被印刷物４に対して印刷が上述した方法により施される。
【００３９】
次に案内部材３０の案内孔３２の設計方法について、特に図５および図６を用いて説明する。
【００４０】
図５および図６は案内孔３２の設計方法を説明する図であって、スクリーン印刷機１０の一側における概略構成を示す模式図である。図中のＡはスキージ２２のスクリーン版１６への当接位置であり、Ｂは一側保持部材２４の配置位置であり、Ｃは案内孔３２の平行孔３２ｂと上方誘導孔３２ａとの交点を示している。また図中において、実線はスクリーン版１６を示し、点線は案内孔３２の形状を示している。なお、図中においてｓを付された各符号は印刷開始時の状態を示している。
【００４１】
図５には、右側に印刷開始時におけるスクリーン版１６が示され、その左側にスキージ２２が一定距離ｘだけ移動した後におけるスクリーン版１６が示されている。案内部材３０はスキージ２２の移動に同期するため、移動後の交点Ｃと移動前の交点Ｃｓとは一定距離ｘだけ離間している。上述してきたように、一側保持部材２４の上下方向位置が不変である場合、版離れ角度θは印刷開始時に最も大きくなる。このため、印刷開始時から印刷終了時までの間、版離れ角度θが常に印刷開始時の版離れ角度θｓとなるよう、一側保持部材２４が上方に移動することが好ましい。したがって、図５に示すように、上方誘導孔３２ａは交点において平行孔３２ｂから角度θｓ（印刷開始時における版離れ角度）だけ一側上方へ向けて傾いていることが好ましい。
【００４２】
図５に示すように、印刷開始時における版離れ角度θｓは、印刷開始時におけるスクリーン版１６の一側における保持位置までの被印刷物４からの高さをｈｓとし、印刷開始時におけるスクリーン版１６の一側における保持位置から印刷開始時におけるスキージ２２のスクリーン版１６への当接位置までのスキージ移動方向に沿った離間長さをａとすると、式１で表すことができる。
θｓ＝Ｔａｎ−１（ｈｓ／ａ）  ・・・式１
【００４３】
また、スクリーン版１６の移動方向に沿った長さが長い場合、あるいは撓みやすい材料から構成されている場合等には、スキージ２２が一側保持部材２４から大きく離間すると、図４（ｃ）に示されているようにスクリーン版１６が下方に撓んでしまうことが想定される。このような場合、スキージ２２が一側から他側へ向かうにつれて、わずかであるが、版離れ角度θが想定した角度θｓよりも徐徐に小さくなっていく。本実施の形態においては、このようなことを想定し、上方誘導孔３２ａは、上方誘導孔３２ａと平行孔３２ｂとの交点Ｃを通り平行孔３２ｂに対して角度θｓだけ一側上方へ傾いた傾斜線Ｌに対し、交点Ｃにおいて接する曲線であって、一側に向かうにつれて傾斜線Ｌから上方にずれていく曲線に沿った軌跡となっている。
【００４４】
このようにして案内部材３０の案内孔３２を設計することにより、スムースな版離れを促進するだけでなく、印刷中における版離れ角度θを略一定にすることもできる。これにより、版離れ引き上げ力および版離れ速度の変動が抑制され、塗工液２の飛び散りまたはパターンの剥がれ等を生じさせることなく、所望の塗工液の転写量により所望のパターンを均一な厚みで精度よく印刷することができる。
【００４５】
以上のように本実施の形態によれば、スキージ２２がスクリーン版１６上を一側から他側に向けて移動するのにしたがって、スクリーン版１６の一側を保持する一側保持部材２４が上方へと移動する。したがって、スクリーン版１６の版離れを促進し、スクリーン版１６をスムースかつ確実に被印刷物４から離間させることができる。また、印刷中における版離れ角度θの変動が緩和されるので、スクリーン版１６の版離れ速度（離版速度）の変動を抑制することができる。これらにより、所望の印刷パターンを精度良く印刷することができる。
【００４６】
また、本実施の形態によれば、スクリーン印刷機１０は、スクリーン版１６の側方に設けられ、スキージ２２の一側から他側への移動に同期して一側から他側へ移動する案内部材３０をさらに備え、案内部材３０は一側保持部材２４の端部分２４ａと係合する案内孔３２を有している。そして、案内部材３０の案内孔３２と一側保持部材２４の端部分２４ａとの係合により、一側保持部材２４は上方へ移動するようになっている。したがって、特別な制御等を用いてスクリーン印刷機１０を複雑化させることなく、一側保持部材２４をスキージ２２の移動にともなって上方へ移動させることができる。
【００４７】
なお、本実施の形態において、一側保持部材２４だけでなく他側保持部材２７の端部分２７ａも案内孔３２内に配置される例を示したが、これに限られない。図７に示すように、一側保持部材２４だけが案内部材３０の案内孔３２に係合するようにしてもよい。図７において、図１乃至図６を用いて上述した本実施の形態のスクリーン印刷機１０と同一な部分には同一符号を付すとともに詳細な説明は省略する。
【００４８】
図７に示す変形例においては、他側保持部材２７は印刷台１２に対して相対移動しないように固定されている。また、案内部材３０の案内孔３２は上述した上方誘導孔３２ａのみからなっている。このような変形例においても上述した実施の形態と同一の作用効果を奏することができる。
【００４９】
また、本実施の形態において、案内部材３０の案内孔３２のうち、他側保持部材２７の端部分２７ａが配置される部分が直線状からなり、他側保持部材２７は印刷中に上下方向へ移動しない例を示したが、これに限られない。図８に示すように、案内孔３２のうち他側保持部材２７の端部分２７ａが配置される部分の形状を変更することができる。図８において、図１乃至図６を用いて上述した本実施の形態のスクリーン印刷機１０と同一な部分には同一符号を付すとともに詳細な説明は省略する。
【００５０】
この変形例において、案内孔３２は、一側に設けられた上述の上方誘導孔３２と、他側に設けられ他側保持部材２７の端部分２７ａと係合する下方誘導孔３２ｃと、上方誘導孔３２ａと下方誘導孔３２ｃとを連結する平行孔３２ｂとからなっている。図８に示されているように、このうち下方誘導孔３２ｃは、上方誘導孔３２ａと対称な形状からなっており、他側から一側に向けて下方に延びている。他側保持部材２７は下方誘導孔３２ｃ内に配置され、印刷中、下方誘導孔３２ｃ内を他側から一側へと下方誘導孔３２ｃに対して相対移動し、これにより、上下方向においては下方に移動することになる。この上下方向への移動は一側保持部材２４の上方へ向けた移動と逆向きの移動となる。したがって、図１乃至図６を用いて説明したスクリーン印刷機１０に比べて、印刷中におけるスクリーン版１６の伸張率の変動を緩和することができる。これにより、スクリーン版１６の伸張に起因するスクリーン版１６の引き上げ力および離版速度の変動を抑制することができる。また、版離れ角度（スキージ後方においてスクリーン版１６と被印刷物４とがなす角度）θを印刷中に渡って略一定にすることができるのと同様に、スキージ前方においてスクリーン版１６と被印刷物４とがなす角度θａも印刷中に渡って略一定にすることができる。すなわち、スクリーン版１６と被印刷物４との接触状態を印刷中にわたって略一定にすることができる。これらのことから、さらに精度良く印刷することができる。
【００５１】
さらに、本実施の形態においては、一側保持部材２４および他側保持部材２７の印刷中におけるスキージ移動方向（水平方向）に沿った印刷台１２に対する相対位置が固定されている例を示したが、これに限られない。例えば、図１乃至図６に示すスクリーン印刷機１０において、他側保持部材２７のスキージ移動方向（水平方向）に沿った位置が固定されるとともに、スクリーン版１６に生ずる張力が一定となるよう、一側保持部材２４のスキージ移動方向（水平方向）に沿った位置が決定されるようにしてもよい。すなわち、他側保持部材２７はスキージ移動方向に移動することはないが、一側保持部材２４は上下方向に移動するだけでなくスクリーン版１６の張力を一定にするようスキージ移動方向に移動するようにしてもよい。このような変形例においては、図１乃至図６を用いて説明したスクリーン印刷機１０に比べて、スクリーン版１６の伸張率の変動にともなう引き上げ力および離版速度の変動を抑制することができ、これにより、さらに精度良く印刷することができる。
【図面の簡単な説明】
【００５２】
【図１】本発明によるスクリーン印刷機の一実施の形態を示す斜視図。
【図２】スクリーン印刷機を示す側面図。
【図３】スクリーン印刷機を示す平面図。
【図４】各印刷時（印刷開始時、印刷中間時、印刷終了時）におけるスクリーン印刷機の状態を示す図。
【図５】スクリーン印刷機の案内部材の設計方法を説明する図。
【図６】スクリーン印刷機の案内部材の設計方法を説明する図。
【図７】スクリーン印刷機の変形例を示す側面図。
【図８】スクリーン印刷機の変形例を示す側面図。
【図９】従来のスクリーン印刷機を示す側面図。
【図１０】各印刷時（印刷開始時、印刷中間時、印刷終了時）における従来のスクリーン印刷機の状態を示す図。
【符号の説明】
【００５３】
１０  スクリーン印刷機
１０ａ  従来のスクリーン印刷機
１２  印刷台
１６  スクリーン版
２２  スキージ
２４  一側保持部材
２７  他側保持部材
３０  案内部材
３２  案内孔
３２ａ  上方誘導孔
３２ｂ  平行孔
θ  版離れ角度
Ａ  スキージのスクリーン版への当接位置
Ｂ  一側保持部材の配置位置
Ｃ  案内孔の平行孔と上方誘導孔との交点
【図１】
2006256121.tif 000003
【図２】
2006256121.tif 000004
【図３】
2006256121.tif 000005
【図４】
2006256121.tif 000006
【図５】
2006256121.tif 000007
【図６】
2006256121.tif 000008
【図７】
2006256121.tif 000009
【図８】
2006256121.tif 000010
【図９】
2006256121.tif 000011
【図１０】
2006256121.tif 000012